(57)【要約】【課題】本発明は、表カバーとかご及び安全柵との干渉を避けつつ、表カバーを制御盤本体に接続したまま、開口部を容易に開放することを目的とするものである。【解決手段】第１のスライド部材２６は、ケース２２の幅方向一側の側面部２２ａの内側でケース２２に支持されており、ケース２２内に収容された収容位置と開口部から突出した引出位置との間でケース２２の前後方向へスライド可能になっている。第２のスライド部材２７は、第１のスライド部材２６に支持されており、第１のスライド部材２６と同じ上下方向位置である通常位置と通常位置よりも上方の上昇位置との間で上下方向へスライド可能になっている。下段分割カバー２３は、第２のスライド部材２７に回動可能に連結されている。【選択図】図９
2015016964.tif 000002
【特許請求の範囲】
【請求項１】
前面に開口部が設けられているケースを有する制御盤本体、
前記ケースの幅方向一側の側面部の内側で前記ケースに支持されており、前記ケース内に収容された収容位置と前記開口部から突出した引出位置との間で前記側面部に沿って前記ケースの前後方向へスライド可能な第１のスライド部材、
前記第１のスライド部材に支持されており、前記第１のスライド部材と同じ上下方向位置である通常位置と前記通常位置よりも上方の上昇位置との間で前記第１のスライド部材に沿って上下方向へスライド可能な第２のスライド部材、及び
前記第２のスライド部材に回動可能に連結されており、前記開口部を開閉する表カバー
を備えているエレベータ制御盤。
【請求項２】
前記第１のスライド部材には、前記第１のスライド部材のスライド動作を案内する第１のスリットが設けられており、
前記側面部には、前記第１のスリットを貫通した第１の軸部材が設けられている請求項１記載のエレベータ制御盤。
【請求項３】
前記第１のスリットの前記開口部とは反対側の端部には、前記第１の軸部材を相対的に上方へ案内する係止部が設けられており、
前記第１のスライド部材を前記引出位置へ移動させることにより、前記第１の軸部材の少なくとも一部が前記係止部に入り込んで前記係止部に係止され、
前記引出位置で前記第１のスライド部材を持ち上げることにより、前記第１の軸部材の前記係止部への係止状態が解除される請求項２記載のエレベータ制御盤。
【請求項４】
前記第１の軸部材は、前記第１のスリットに通される軸部材主部と、前記軸部材主部の軸方向端部に隣接するスライド部材保持部とを有しており、
前記第１のスリットの前記開口部側の端部には、前記スライド部材保持部が嵌合する嵌合孔が設けられており、
前記第１のスライド部材が前記収容位置に位置するとき、前記第１のスライド部材を前記第１の軸部材の軸方向へ変位させて前記スライド部材保持部を前記嵌合孔に嵌合させることにより、前記第１のスライド部材が前記収容位置に保持される請求項２又は請求項３に記載のエレベータ制御盤。
【請求項５】
前記第２のスライド部材には、前記第２のスライド部材のスライド動作を案内する第２のスリットが設けられており、
前記第１のスライド部材には、前記第２のスリットを貫通した第２の軸部材が設けられている請求項１から請求項４までのいずれか１項に記載のエレベータ制御盤。
【請求項６】
前記第２のスリットの下端部の形状は、Ｊ字形に折り返された形状である請求項５記載のエレベータ制御盤。
【請求項７】
前記第１のスライド部材と前記第２のスライド部材との間には、前記第２のスライド部材を上昇位置に移動させたときに前記第２のスライド部材が前記第２の軸部材を中心として回動するのを阻止するストッパが設けられている請求項５又は請求項６に記載のエレベータ制御盤。
【請求項８】
昇降路内を昇降されるかご、及び
前記昇降路内に設けられており、保守作業が前記かご上から行われるエレベータ制御盤
を備え、
前記エレベータ制御盤は、
前面に開口部が設けられているケースを有する制御盤本体、
前記ケースの幅方向一側の側面部の内側で前記ケースに支持されており、前記ケース内に収容された収容位置と前記開口部から突出した引出位置との間で前記側面部に沿って前記ケースの前後方向へスライド可能な第１のスライド部材、
前記第１のスライド部材に支持されており、前記第１のスライド部材と同じ上下方向位置である通常位置と前記通常位置よりも上方の上昇位置との間で前記第１のスライド部材に沿って上下方向へスライド可能な第２のスライド部材、及び
前記第２のスライド部材に回動可能に連結されており、前記開口部を開閉する表カバー
を備えているエレベータ装置。
【請求項９】
前記かごの上部に安全柵が設けられており、
前記表カバーは、前記かご上の床面を前記表カバーの下端と同じ高さにしたとき、前記安全柵の上端よりも上方まで移動可能になっている請求項８記載のエレベータ装置。
【発明の詳細な説明】
【技術分野】
【０００１】
この発明は、制御盤本体のケースの開口部が表カバーにより開閉されるエレベータ制御盤及びそれを用いたエレベータ装置に関するものである。
【背景技術】
【０００２】
従来のエレベータ制御盤では、前面カバーが上下方向に３つに分割されている。また、これらのカバーは蓋式であり、本体パネルの前面を開放する場合には、本体パネルからカバーが完全に取り外される（例えば、特許文献１参照）。
【０００３】
また、従来の他のエレベータ制御盤では、制御盤本体の前面に上部扉と下部扉とが設けられている。上部扉は、回動されて制御盤本体の開口の上半分を開放する。また、下部扉は、下方へスライドされて制御盤本体の開口の下半分を開放する（例えば、特許文献２参照）。
【先行技術文献】
【特許文献】
【０００４】
【特許文献１】特開２００２−３３８１５２号公報
【特許文献２】特開２００７−１０６５１２号公報
【発明の概要】
【発明が解決しようとする課題】
【０００５】
一般に、機械室レスエレベータでは、制御盤が昇降路内に設置される。このため、制御盤の設置位置（高さ）によっては、制御盤に対する保守作業をかご上から行う必要が生じる。これに対して、特許文献１に示された従来の制御盤では、カバーが本体から切り離されるため、落下に対する予防措置を講ずる必要があった。
【０００６】
また、かご上には作業者の安全のために安全柵が設けられているため、従来の扉式のカバーを有する制御盤では、カバーがかご又は安全柵と干渉し、カバーを展開させることが困難になってしまう。これに対して、特許文献２に示された従来の制御盤では、下部扉が下方へスライド可能となっているが、下部扉がかごの天井よりも下方へスライドされるため、開閉作業の作業性が低い。
【０００７】
この発明は、上記のような課題を解決するためになされたものであり、表カバーとかご及び安全柵との干渉を避けつつ、表カバーを制御盤本体に接続したまま、開口部を容易に開放することができるエレベータ制御盤及びそれを用いたエレベータ装置を得ることを目的とする。
【課題を解決するための手段】
【０００８】
この発明に係るエレベータ制御盤は、前面に開口部が設けられているケースを有する制御盤本体、ケースの幅方向一側の側面部の内側でケースに支持されており、ケース内に収容された収容位置と開口部から突出した引出位置との間で側面部に沿ってケースの前後方向へスライド可能な第１のスライド部材、第１のスライド部材に支持されており、第１のスライド部材と同じ上下方向位置である通常位置と通常位置よりも上方の上昇位置との間で第１のスライド部材に沿って上下方向へスライド可能な第２のスライド部材、及び第２のスライド部材に回動可能に連結されており、開口部を開閉する表カバーを備えている。
【発明の効果】
【０００９】
この発明のエレベータ制御盤は、収容位置と引出位置との間でケースの前後方向へスライド可能な第１のスライド部材と、通常位置と上昇位置との間で上下方向へスライド可能な第２のスライド部材とを介して、表カバーがケースに支持されているので、表カバーとかご及び安全柵との干渉を避けつつ、表カバーを制御盤本体に接続したまま、開口部を容易に開放することができる。
【図面の簡単な説明】
【００１０】
【図１】この発明の実施の形態１による機械室レスエレベータを示す概略の構成図である。
【図２】図１のエレベータ制御盤を示す正面図である。
【図３】図２のエレベータ制御盤を示す左側面図である。
【図４】図２のエレベータ制御盤を示す平面図である。
【図５】図２のＶ部を拡大して示す正面図である。
【図６】図３のＶＩ部を拡大して示す側面図である。
【図７】図３の第１のスライド部材を引出位置に引き出した状態を示す側面図である。
【図８】図７の第２のスライド部材を上昇位置に持ち上げた状態を示す側面図である。
【図９】図８の下段分割カバーを開放側へ回動させた状態を示す側面図である。
【図１０】図９のＸ部を拡大して示す側面図である。
【図１１】図３の第１の軸部材の第１の例を示す斜視図である。
【図１２】図３の第１の軸部材の第２の例を示す斜視図である。
【図１３】図３の第１の軸部材の第３の例を示す斜視図である。
【図１４】図１１及び図１２の軸部材主部が第１のスリット内を移動する様子を示す説明図である。
【図１５】図１３の軸部材主部が第１のスリット内を移動する様子を示す説明図である。
【図１６】図３のケース、第１のスライド部材及び第２のスライド部材の関係を模式的に示す斜視図である。
【図１７】図８のケース、第１のスライド部材及び第２のスライド部材の関係を模式的に示す斜視図である。
【図１８】図３のケース、下段分割カバー、第１のスライド部材及び第２のスライド部材の関係を模式的に示す平面図である。
【図１９】図８のケース、下段分割カバー、第１のスライド部材及び第２のスライド部材の関係を模式的に示す平面図である。
【図２０】図１９の下段分割カバーを開放側へ回動させた状態を示す平面図である。
【発明を実施するための形態】
【００１１】
以下、この発明を実施するための形態について、図面を参照して説明する。
実施の形態１．
図１はこの発明の実施の形態１による機械室レスエレベータ（エレベータ装置）を示す概略の構成図である。図において、昇降路１内の上部（頂部）には、巻上機２が配置されている。巻上機２は、駆動シーブ３と、駆動シーブ３を回転させる巻上機モータ（図示せず）と、駆動シーブ３の回転を制動する巻上機ブレーキ（図示せず）とを有している。
【００１２】
駆動シーブ３には、懸架体４が巻き掛けられている。懸架体４としては、複数本のロープ又は複数本のベルトが用いられている。懸架体４は、第１の端部（かご側端部）４ａと、第２の端部（釣合おもり側端部）４ｂとを有している。第１の端部４ａは、昇降路１内の上部に設けられた第１の綱止め部５ａに接続されている。第２の端部４ｂは、昇降路１内の上部に配置された第２の綱止め部５ｂに接続されている。
【００１３】
かご６及び釣合おもり７は、懸架体４により昇降路１内に吊り下げられており、巻上機２により昇降路１内を昇降される。昇降路１内には、かご６の昇降を案内する一対のかごガイドレール（図示せず）と、釣合おもり７の昇降を案内する一対の釣合おもりガイドレール（図示せず）とが設置されている。
【００１４】
かご６の下部には、第１及び第２のかご吊り車８ａ，８ｂが設けられている。釣合おもり７の上部には、釣合おもり吊り車９が設けられている。懸架体４は、第１の端部４ａ側から順に、第１のかご吊り車８ａ、第２のかご吊り車８ｂ、駆動シーブ３及び釣合おもり吊り車９に巻き掛けられている。即ち、かご６及び釣合おもり７は、２：１ローピング方式で吊り下げられている。
【００１５】
かご６の前面には、かご出入口を開閉するかごドア装置１０が設けられている。かご６上には、かご６上での保守作業時に立設される安全柵１１が設けられている。
【００１６】
昇降路１内の上部には、かご６の運転を制御するエレベータ制御盤１２が設置されている。また、エレベータ制御盤１２は、かご６と干渉しないように、真上から見てかご６と昇降路壁１ａとの間の空間に配置されている。
【００１７】
このため、エレベータ制御盤１２としては、上下方向の寸法が幅方向（図１の紙面に垂直な方向）の寸法よりも大きく、厚さ寸法（図１の左右方向の寸法）が幅方向の寸法よりも小さい薄型縦長の制御盤が用いられている。また、エレベータ制御盤１２に対する保守作業は、かご６上から行われる。
【００１８】
図２は図１のエレベータ制御盤１２を示す正面図、図３は図２のエレベータ制御盤１２を示す左側面図、図４は図２のエレベータ制御盤１２を示す平面図、図５は図２のＶ部を拡大して示す正面図、図６は図３のＶＩ部を拡大して示す側面図である。
【００１９】
制御盤本体２１は、前面（図３の右側の面）に開口部が設けられているケース２２と、ケース２２内に収容されている複数の制御機器（図示せず）とを有している。ケース２２の開口部は、下段分割カバー２３、中段分割カバー２４及び上段分割カバー２５により開閉される。即ち、分割カバー２３〜２５は、それぞれ表カバーである。
【００２０】
下段分割カバー２３は、ケース２２の下段に配置されている。中段分割カバー２４は、下段分割カバー２３の上に隣接してケース２２の中段に配置されている。上段分割カバー２５は、中段分割カバー２４の上に隣接してケース２２の上段に配置されている。また、分割カバー２３〜２５は、それぞれ独立して開閉可能となっている。
【００２１】
ケース２２の幅方向一側（この例では、正面に向かって左側）の側面部２２ａの内側には、長方形の平板状の第１のスライド部材２６が収容されている。第１のスライド部材２６は、ケース２２に支持されている。
【００２２】
また、第１のスライド部材２６は、ケース２２内に収容された収容位置とケース２２の開口部から突出した引出位置との間で、側面部２２ａに沿ってケース２２の前後方向へスライド可能になっている。図３は第１のスライド部材２６が収容位置に位置する状態を示している。また、図７は図３の第１のスライド部材２６を引出位置に引き出した状態を示す側面図である。
【００２３】
第１のスライド部材２６の上下方向寸法は、下段分割カバー２３の上下方向寸法よりも若干短い。第１のスライド部材２６の幅方向（図３の左右方向）寸法は、ケース２２の奥行方向（図３の左右方向）寸法よりも若干短い。
【００２４】
第１のスライド部材２６には、長方形の平板状の第２のスライド部材２７が支持されている。第２のスライド部材２７は、第１のスライド部材２６と同じ上下方向位置である通常位置と通常位置よりも上方の上昇位置との間で、第１のスライド部材２６に沿って上下方向へスライド可能になっている。図３及び図７は第２のスライド部材２７が通常位置に位置する状態を示している。また、図８は第２のスライド部材２７を上昇位置に持ち上げた状態を示す側面図である。
【００２５】
第２のスライド部材２７の上下方向寸法は、第１のスライド部材２６の上下方向寸法と同じである。第２のスライド部材２７の幅方向（図３の左右方向）寸法は、第１のスライド部材２６の幅方向寸法よりも短く、この例では第１のスライド部材２６の幅方向寸法の半分程度である。
【００２６】
下段分割カバー２３は、第２のスライド部材２７に複数（この例では２つ）の蝶番（回転支持具）２８ａ，２８ｂを介して回動可能に連結されている。図９は図８の下段分割カバー２３を開放側へ回動させた状態を示す側面図である。
【００２７】
中段分割カバー２４及び上段分割カバー２５は、通常の扉式のカバーである。下段分割カバー２３、中段分割カバー２４及び上段分割カバー２５は、上下方向位置を動かさずに、図１の位置でそれぞれ独立して開閉動作させることができる。
【００２８】
また、図８に示すように、第１のスライド部材２６を引出位置に引き出して、第２のスライド部材２７を上昇位置に移動させることにより、ケース２２の開口部の下段分割カバー２３に対応する部分を開放することもできる。下段分割カバー２３は、かご６上の床面を下段分割カバー２３の下端と同じ高さにしたとき、安全柵１１の上端よりも上方まで移動可能になっている。
【００２９】
さらに、図８の状態から、図９に示すように下段分割カバー２３を開放側へ回動させることにより、中段分割カバー２４も開放側へ回動させることができる。これにより、下段分割カバー２３を通常の位置よりも上方に移動させた状態で、ケース２２の開口部の下段分割カバー２３に対応する部分と中段分割カバー２４に対応する部分とを同時に開放することができる。
【００３０】
第１のスライド部材２６には、第１のスライド部材２６のスライド動作を案内する上下一対の第１のスリット２６ａが設けられている。第１のスリット２６ａは、上下方向に間隔をおいて互いに平行かつ水平に設けられている。
【００３１】
ケース２２の側面部２２ａには、ケース２２内に突出し第１のスリット２６ａを貫通した一対の第１の軸部材（第１のピン）２９が設けられている。第１の軸部材２９は、第１のスライド部材２６をスライドさせることにより、第１のスリット２６ａ内を相対的に移動する。
【００３２】
第２のスライド部材２７には、第２のスライド部材２７のスライド動作を案内する第２のスリット２７ａが設けられている。第２のスリット２７ａは、第２のスライド部材２７の幅方向の中央に上下方向に沿って設けられている。
【００３３】
第１のスライド部材２６の上端部近傍には、第２のスリット２７ａを貫通した第２の軸部材（第２のピン）３０が設けられている。第２の軸部材３０は、第２のスライド部材２７をスライドさせることにより、第２のスリット２７ａ内を相対的に移動する。
【００３４】
また、第２の軸部材３０の先端部（第１のスライド部材２６とは反対側の端部）には、第２の軸部材３０の第２のスリット２７ａからの抜けを阻止する抜け止め部が設けられている。
【００３５】
図１０は図９のＸ部を拡大して示す側面図である。第２のスリット２７ａの下端部の形状は、Ｊ字形に折り返された形状である。第２のスライド部材２７を上昇位置まで移動させた際、第２の軸部材３０を第２のスリット２７ａのＪ字形に折り返された部分まで移動させることにより、第２のスライド部材２７を上昇位置に保持することができる。
【００３６】
また、第１のスライド部材２６と第２のスライド部材２７との間には、第２のスライド部材２７を上昇位置に移動させたときに第２のスライド部材２７が第２の軸部材３０を中心として回動するのを阻止する第１及び第２のストッパ３１，３２が設けられている。
【００３７】
第１のストッパ３１は、第１のスライド部材２６の上端部近傍に設けられている。第２のストッパ３２は、第２のスライド部材２７の下端部近傍に設けられており、第２のスライド部材２７を上昇位置に移動させたときに第１のストッパ３１に当接する。第２のストッパ３２が第１のストッパ３１に当接することにより、第２のスライド部材２７が第２の軸部材３０を中心として図８、９の時計方向へ倒れるのが阻止される。
【００３８】
図１１は図３の第１の軸部材２９の第１の例を示す斜視図である。第１の軸部材２９は、第１のスリット２６ａに通される軸部材主部２９ａと、軸部材主部２９ａの軸方向端部に隣接するスライド部材保持部２９ｂと、軸部材主部２９ａのスライド部材保持部２９ｂとは反対側の軸方向端部に隣接する抜け止め部２９ｃとを有している。
【００３９】
軸部材主部２９ａは、円柱状である。スライド部材保持部２９ｂは、軸部材主部２９ａよりも大径の円柱状である。また、スライド部材保持部２９ｂは、ケース２２の側面部２２ａに固定されている。さらに、軸部材主部２９ａは、スライド部材保持部２９ｂの軸線から外れた位置に設けられている。
【００４０】
抜け止め部２９ｃは、スライド部材保持部２９ｂよりも大径の円板状であり、第１のスリット２６ａから第１の軸部材２９が抜けるのを阻止する。
【００４１】
図１２は図３の第１の軸部材２９の第２の例を示す斜視図である。この例では、軸部材主部２９ａがスライド部材保持部２９ｂと同軸に配置されている。
【００４２】
図１３は図３の第１の軸部材２９の第３の例を示す斜視図である。この例では、軸部材主部２９ａの断面形状が略Ｌ字形（長方形の一端部に上方へ突出した突起部が形成されている形状）である。
【００４３】
図１４は図１１及び図１２の軸部材主部２９ａが第１のスリット２６ａ内を移動する様子を示す説明図である。第１のスリット２６ａの一端部（ケース２２の開口部とは反対側の端部）には、軸部材主部２９ａを相対的に上方へ案内する係止部（キー孔）２６ｂが設けられている。第１のスリット２６ａの他端部（ケース２２の開口部側の端部）には、スライド部材保持部２９ｂが嵌合する嵌合孔２６ｃが設けられている。また、係止部２６ｂの真下には、傾斜面２６ｄが設けられている。
【００４４】
下段分割カバー２３を手前に引き出すことにより、第１のスライド部材２６をケース２２から引き出すと、軸部材主部２９ａは、図１４の（ａ）〜（ｂ）に示すように、第１のスリット２６ａの上面に沿って第１のスリット２６ａ内を係止部２６ｂ側へ向けて相対的に移動する。
【００４５】
第１のスライド部材２６を引出位置まで移動させると、下段分割カバー２３、第２のスライド部材２７及び第１のスライド部材２６が自重により僅かに下動し、図１４の（ｃ）に示すように、軸部材主部２９ａが係止部２６ｂに入り込んで係止部２６ｂに係止される。これにより、第１のスライド部材２６が引出位置にロックされる。
【００４６】
第１のスライド部材２６を収容位置に戻す場合、下段分割カバー２３を持ち上げることにより、引出位置で第１のスライド部材２６を持ち上げて、軸部材主部２９ａの係止部２６ｂへの係止状態を解除する。そして、下段分割カバー２３を押して、第１のスライド部材２６をケース２２内へ押し込む。このとき、軸部材主部２９ａは、第１のスリット２６ａの上面に沿って第１のスリット２６ａ内を嵌合孔２６ｃ側へ向けて相対的に移動する。
【００４７】
第１のスライド部材２６が収容位置に位置するとき、下段分割カバー２３を側面部２２ａ側へ僅かに移動させることにより、第１のスライド部材２６を第１の軸部材２９の軸方向へ変位させると、スライド部材保持部２９ｂを嵌合孔２６ｃに嵌合させることができる。これにより、第１のスライド部材２６が収容位置に保持され、下段分割カバー２３も閉位置に保持される。
【００４８】
第１のスライド部材２６を引出位置へ引き出す際には、第１のスライド部材２６を側面部２２ａから離れる方向へ僅かに移動させ、スライド部材保持部２９ｂと嵌合孔２６ｃとの嵌合状態を解除してから、下段分割カバー２３を手前に引き出す。
【００４９】
図１５は図１３の軸部材主部２９ａが第１のスリット２６ａ内を移動する様子を示す説明図である。基本的な動きは図１４と同じであるが、第１のスライド部材２６が引出位置に位置するとき、軸部材主部２９ａの一部、即ち突起部のみが係止部２６ｂに係止される。
【００５０】
図１６は図３のケース２２、第１のスライド部材２６及び第２のスライド部材２７の関係を模式的に示す斜視図、図１７は図８のケース２２、第１のスライド部材２６及び第２のスライド部材２７の関係を模式的に示す斜視図である。
【００５１】
図１８は図３のケース２２、下段分割カバー２３、第１のスライド部材２６及び第２のスライド部材２７の関係を模式的に示す平面図、図１９は図８のケース２２、下段分割カバー２３、第１のスライド部材２６及び第２のスライド部材２７の関係を模式的に示す平面図、図２０は図１９の下段分割カバー２３を開放側へ回動させた状態を示す平面図である。
【００５２】
図１６及び図１８の状態から、下段分割カバー２３を上昇位置で開放する場合、まず下段分割カバー２３を図１８の右方向へ僅かに移動させ、第１及び第２のスライド部材２６，２７を同方向へ移動させる。この後、図１９に示すように、下段分割カバー２３を手前に引いて、第１及び第２のスライド部材２６をケース２２外へ引き出す。
【００５３】
この後、下段分割カバー２３を持ち上げることにより、図１７に示すように、第２のスライド部材２７を上昇位置へ移動させる。そして、図２０に示すように、下段分割カバー２３を開放側へ回動させる。下段分割カバー２３を閉じる場合の動作は、上記の逆である。
【００５４】
このようなエレベータ制御盤では、収容位置と引出位置との間でケース２２の前後方向へスライド可能な第１のスライド部材２６と、通常位置と上昇位置との間で上下方向へスライド可能な第２のスライド部材２７とを介して、下段分割カバー２３がケース２２に支持されているので、下段分割カバー２３とかご６及び安全柵１１との干渉を避けつつ、下段分割カバー２３を制御盤本体２１に接続したまま、ケース２２の開口部を容易に開放することができる。
【００５５】
また、通常時には、第１及び第２のスライド部材２６，２７がケース２２内に収容されるため、エレベータ制御盤をコンパクトに構成することができる。さらに、エレベータ制御盤の外観に影響を与えることがなく、意匠性を向上させることができる。
【００５６】
さらにまた、下段分割カバー２３を展開した状態でも保守スペース（この場合、制御盤本体２１を前方に延長した領域）内に収めることができる。
【００５７】
また、第１のスライド部材２６に第１のスリット２６ａを設け、側面部２２ａに第１の軸部材２９を設けたので、簡単な構成により、第１のスライド部材２６を前後方向へスムーズに移動させることができる。
【００５８】
さらに、第１のスリット２６ａの端部に係止部２６ｂを設けたので、簡単な構成により、第１のスライド部材２６を引出位置にロックすることができる。また、ロックの解除も容易である。
【００５９】
さらにまた、第１の軸部材２９にスライド部材保持部２９ｂを設け、第１のスリット２６ａの端部に嵌合孔２６ｃを設けたので、簡単な構成により、第１のスライド部材２６を収容位置に保持することができ、通常運転時に第１のスライド部材２６が収容位置から移動するのを防止することができる。
【００６０】
また、第２のスライド部材２７に第２のスリット２７ａを設け、第１のスライド部材２６に第２の軸部材３０を設けたので、簡単な構成により、第２のスライド部材２７を上下方向へスムーズに移動させることができる。
【００６１】
さらに、第２のスリット２７ａの下端部の形状をＪ字形にしたので、簡単な構成により、第２のスライド部材２７を上昇位置に保持することができる。
【００６２】
さらにまた、第１のスライド部材２６と第２のスライド部材２７との間に第１及び第２のストッパ３１，３２を設けたので、第２のスライド部材２７を上昇位置に移動させたときに第２のスライド部材２７が第２の軸部材３０を中心として回動するのを阻止することができる。
【００６３】
また、下段分割カバー２３は、かご６上の床面を下段分割カバー２３の下端と同じ高さにしたとき、安全柵１１の上端よりも上方まで移動可能になっているので、下段分割カバー２３と安全柵１１との干渉をより確実に防止することができる。
【００６４】
なお、第１のスリットをケースの側面部に設け、第１の軸部材を第１のスライド部材に固定してもよい。
また、第２のスリットを第１のスライド部材に設け、第２の軸部材を第２のスライド部材に設けてもよい。
さらに、第１のスリットの数及び第２のスリットの数は、上記の例に限定されない。これに伴い、第１の軸部材の数及び第２の軸部材の数も、上記の例に限定されない。
さらにまた、第１及び第２のスライド部材を案内する手段はスリットに限定されず、例えばレール等であってもよい。
【００６５】
また、ストッパの位置や個数は上記の例に限定されず、ストッパ以外の手段により第２のスライド部材の倒れを阻止してもよい。
さらに、上記の例では、全ての分割カバー２３〜２５が向かって左側に展開するが、右側に展開してもよい。また、異なる方向に展開する表カバーを組み合わせてもよい。
さらにまた、表カバーの枚数や上下方向寸法は特に限定されるものではなく、異なるサイズの表カバーを組み合わせてもよい。
また、上記の例では下段分割カバー２３とケース２２との間に第１及び第２のスライド部材２６，２７を設けたが、他の表カバーも同様の支持構造としてもよい。例えば、実施の形態１の中段分割カバー２４の支持構造を、下段分割カバー２３と同様の支持構造としてもよい。
【００６６】
さらに、エレベータ装置全体のレイアウト（機器の位置及び個数、ローピング方式等）は図１に限定されるものではなく、本発明のエレベータ制御盤は、他のレイアウトのエレベータ装置に適用してもよい。
【符号の説明】
【００６７】
６  かご、１１  安全柵、１２  エレベータ制御盤、２１  制御盤本体、２２  ケース、２２ａ  側面部、２３  下段分割カバー（表カバー）、２６  第１のスライド部材、２６ａ  第１のスリット、２６ｂ  係止部、２６ｃ  嵌合孔、２７  第２のスライド部材、２７ａ  第２のスリット、２９  第１の軸部材、２９ａ  軸部材主部、２９ｂ  スライド部材保持部、３０  第２の軸部材、３１  第１のストッパ、３２  第２のストッパ。
【図１】
2015016964.tif 000003
【図２】
2015016964.tif 000004
【図３】
2015016964.tif 000005
【図４】
2015016964.tif 000006
【図５】
2015016964.tif 000007
【図６】
2015016964.tif 000008
【図７】
2015016964.tif 000009
【図８】
2015016964.tif 000010
【図９】
2015016964.tif 000011
【図１０】
2015016964.tif 000012
【図１１】
2015016964.tif 000013
【図１２】
2015016964.tif 000014
【図１３】
2015016964.tif 000015
【図１４】
2015016964.tif 000016
【図１５】
2015016964.tif 000017
【図１６】
2015016964.tif 000018
【図１７】
2015016964.tif 000019
【図１８】
2015016964.tif 000020
【図１９】
2015016964.tif 000021
【図２０】
2015016964.tif 000022